(57)【特許請求の範囲】
【請求項１】
供給される画像情報に基づいて給紙される用紙に画像を形成する画像形成手段に用いられる情報処理装置において、
該画像情報が格納される記憶手段と、
後処理が施される用紙上の辺であって印刷時の給紙方向と直角な辺である後処理辺及び該後処理辺に沿った後処理位置の組と、綴じ代位置との少なくとも一方を指定する設定手段と、
該設定手段による指定に基づいて、該記憶手段に格納されている該画像情報に対応した複数枚の用紙の捲り方向を決定する用紙捲り方向決定手段と、
該用紙捲り方向が給紙方向と直角になる場合に、用紙裏面に形成される画像が１８０°回転するように、該記憶手段に格納されている該画像情報を変更する画像情報変更手段と、
を有し、該用紙捲り方向決定手段は、該設定手段により該綴じ代位置が指定され該後処理辺及び該後処理位置が指定されなかった場合には、該綴じ代位置に基づいて該用紙捲り方向を決定し、該設定手段により該綴じ代位置が指定されず該後処理辺及び該後処理位置が指定された場合には、該後処理辺に基づいて該用紙捲り方向を決定し、該設定手段により該後処理辺、該後処理位置及び該綴じ代位置が指定された場合には、後処理を実行可能であると判定し、かつ、該後処理位置が用紙捲り方向を一意に決定するものであると判定したとき、該後処理辺に基づいて該用紙捲り方向を決定することを特徴とする情報処理装置。
【請求項２】
該設定手段でさらに、該指定された後処理辺に沿った後処理の種類が指定され、
該用紙捲り方向決定手段は、該設定手段で指定された該後処理辺、該後処理位置及び該後処理の種類と、該画像情報に含まれる用紙サイズとに基づいて、後処理を実行可能であるか否かを判定する、
ことを特徴とする請求項１に記載の情報処理装置。
【請求項３】
該設定手段は、入力手段と、表示手段と、該表示手段の画面に用紙を表示させ該入力手段の操作に応じて該用紙上の指定された後処理辺と該指定された後処理辺上又は後処理辺に沿った後処理位置とを表示させ表示に対応した情報を設定する表示制御手段とを有することを特徴とする請求項１又は２に記載の情報処理装置。
【請求項４】
請求項１乃至３のいずれか１つに記載の情報処理装置と、
該情報処理装置の該記憶手段から供給される画像情報に基づいて、給紙される用紙に画像を形成する画像形成手段と、
を有することを特徴とする画像形成装置。
【請求項５】
該情報処理装置の該設定手段で設定された情報が格納される設定情報記憶手段と、
該画像形成手段で画像が形成された用紙に対し物理的に後処理を行う後処理手段と、
該設定情報記憶手段に格納されている記憶内容に基づいて該後処理手段に対し後処理を行わせる制御手段と、
をさらに有することを特徴とする請求項４に記載の画像形成装置。
【発明の詳細な説明】
【技術分野】
【０００１】
本発明は、用紙を搬送して用紙に画像を形成する、プリンタ、複写機、ファクシミリ又は複合機等の画像形成装置に用いられる情報処理装置及びこれを備えた画像形成装置に係り、特に、ステープル処理やパンチ処理等の後処理を自動又は手動で行う場合に好適な情報処理装置及びこれを備えた画像形成装置に関する。
【背景技術】
【０００２】
図１１は、１つの印刷ジョブでサイズの異なる用紙を用いて両面印刷を行い、用紙束をステープル留めする場合を示している。
【０００３】
サイズが異なる用紙間で等辺を合わせて綴じるという条件の下で、短辺綴じを指定した場合には、図１１（Ａ）に示すように、小サイズ用紙については綴じ代１が給紙方向と平行になる。これに対し、大サイズ用紙については図１１（Ｄ）に示すように、綴じ代２が給紙方向と直角になる。このような場合、小及び大サイズの用紙はそれぞれ綴じ代１及び２の回りに回転させることにより捲られ、捲り方向が互いに９０°異なるので、図１１（Ｇ）に示すように綴じ代１と２の共通領域にステープル３を打ち込めばよい。
【０００４】
図１１（Ｂ）及び（Ｅ）はそれぞれ（Ａ）及び（Ｄ）の用紙の裏面に印刷される画像の向きを示している。図１１（Ｃ）及び（Ｆ）はそれぞれ（Ａ）及び（Ｄ）の画像に、裏面画像を点線で示したものである。
【０００５】
このように、小サイズと大サイズの用紙で捲り方向が９０°異なる場合が生じ、サイズによらず捲り方向を同一にしたいというユーザの要望に応えることができない。
【０００６】
また、下記特許文献１に開示されているように、サイズが異なる用紙間で等辺を合わせて綴じ代にする場合には、その図５（Ｃ）に示すように小サイズの用紙と大サイズの用紙との切り替わりで用紙束を９０°回転させて見なければならず、用紙束を回転させずに捲り方向を同一にしたいというユーザの要望に応えることができない。
【０００７】
一方、画像形成装置に付設される後処理装置は、用紙の給紙方向前端又は後端の一方に対して後処理を施すので、例えば図１１の綴じ代１を給紙方向前端としなければならず、図１１の場合には用紙の給紙方向前端の辺の長さを揃えることができないので、後処理を行うことができなかった。
【０００８】
本発明者らは、綴じ代とは別の「後処理辺」（後処理が施される用紙上の辺であって、印刷時の給紙方向と直角な辺）という概念を導入することにより、前記問題を解決することができることを見い出した。この後処理辺は、必ずしも綴じ代とは一致しない。また、後処理辺と綴じ代の一方のみ指定すれば充分な場合もある。さらに、後処理辺と綴じ代の指定のいずれかに誤りがあるため捲り方向が一意に定まらない場合も考えられる。また、捲り方向が一意に定まらない場合であっても、指定誤りを自動判定することができれば、再指定することなく指定情報を有効利用でき、便利である。
【発明の開示】
【発明が解決しようとする課題】
【０００９】
本発明は、本発明者らによるこのような分析に基づき案出されたものであり、その目的とするところは、ユーザによる後処理辺と綴じ代との組の指定の仕方に応じて、ユーザが意図する捲り方向を自動的に決定することにより、ユーザが望む捲り方向にすることが可能な情報処理装置及びこれを備えた画像形成装置を提供することにある。
【００１０】
本発明の他の目的は、ユーザにより綴じ代と捲り方向を定める後処理辺との両方が指定された場合には、より適正であると推定できる指定に基づいて捲り方向を自動的に決定することにより、ユーザが望む捲り方向にすることが可能な情報処理装置及びこれを備えた画像形成装置を提供することにある。
【課題を解決するための手段】
【００１１】
本発明による情報処理装置の第１態様では、
供給される画像情報に基づいて給紙される用紙に画像を形成する画像形成手段に用いられる情報処理装置において、
該画像情報が格納される記憶手段と、
後処理が施される用紙上の辺であって印刷時の給紙方向と直角な辺である後処理辺と、綴じ代位置との少なくとも一方を指定する設定手段と、
該設定手段による指定に基づいて、該記憶手段に格納されている該画像情報に対応した複数枚の用紙の捲り方向を決定する用紙捲り方向決定手段と、
該用紙捲り方向が給紙方向と直角になる場合に、用紙裏面に形成される画像が１８０°回転するように、該記憶手段に格納されている該画像情報を変更する画像情報変更手段とを有する。
【００１２】
本発明による情報処理装置の第２態様では、第１態様において、該用紙捲り方向決定手段は、該設定手段により該綴じ代位置が指定された場合には、該綴じ代位置に基づいて該用紙捲り方向を決定し、該設定手段により該綴じ代位置が指定されず該後処理辺が指定された場合には、該後処理辺に基づいて該用紙捲り方向を決定する。
【００１３】
本発明による情報処理装置の第３態様では、第２態様において、
該設定手段でさらに、該指定された後処理辺に沿った後処理位置が指定され、
該用紙捲り方向決定手段は、該設定手段により該綴じ代位置が指定された場合であっても、該後処理位置が用紙捲り方向を一意に決定するものであり、かつ、後処理を実行可能であると判定した場合には、該後処理辺に基づいて該用紙捲り方向を決定する。
【００１４】
本発明による情報処理装置の第４態様では、第３態様において、
該設定手段でさらに、該指定された後処理辺に沿った後処理の種類が指定され、
該用紙捲り方向決定手段は、該設定手段で指定された該後処理辺、該後処理位置及び該後処理の種類と、該画像情報に含まれる用紙サイズとに基づいて、後処理を実行可能であるか否かを判定する。
【００１５】
本発明による情報処理装置の第５態様では、第３又は４態様において、該設定手段は、入力手段と、表示手段と、該表示手段の画面に用紙を表示させ該入力手段の操作に応じて該用紙上の指定された後処理辺と該指定された後処理辺上又は後処理辺に沿った後処理位置とを表示させ表示に対応した情報を設定する表示制御手段とを有する。
【００１６】
本発明による画像形成装置の第１態様では、
上記いずれかの態様の情報処理装置と、
該情報処理装置の該記憶手段から供給される画像情報に基づいて、給紙される用紙に画像を形成する画像形成手段とを有する。
【００１７】
本発明による画像形成装置の第２態様では、前記第１態様にさらに、
該情報処理装置の該設定手段で設定された情報が格納される設定情報記憶手段と、
該画像形成手段で画像が形成された用紙に対し物理的に後処理を行う後処理手段と、
該設定情報記憶手段に格納されている記憶内容に基づいて該後処理手段に対し後処理を行わせる制御手段とを有する。
【発明の効果】
【００１８】
上記情報処理装置の第１、２態様の構成によれば、後処理辺指定と綴じ代位置指定との一方に基づいて用紙捲り方向を自動決定し、用紙捲り方向が給紙方向と直角になる場合に、用紙裏面に形成される画像が１８０°回転するように画像情報を変更するので、後処理辺と綴じ代位置との両方を設定可能である場合において、後処理辺と綴じ代位置との両指定に互いに矛盾があったり、両者の一方しか指定されていなくても、ユーザが望む捲り方向にすることが可能であるという効果を奏する。
【００１９】
上記情報処理装置の第３態様の構成によれば、綴じ代位置が指定された場合であっても、用紙捲り方向を固定する後処理位置が指定され且つ後処理を実行可能である場合には、後処理辺指定に基づいて用紙の捲り方向を決定するので、すなわち、綴じ代位置指定よりも後処理辺指定の方が適正であると考えられる場合には後処理辺指定に基づいて用紙捲り方向を自動決定するので、設定手段による指定にミスがあってもユーザが望む捲り方向にすることが可能となるという効果を奏する。
【００２０】
また、設定手段による指定にミスがあっても適正に指定情報を選択利用して捲り方向を決定しそれに応じて画像を回転させるので、指定情報が有効利用されるという効果を奏する。
【００２１】
本発明の他の目的、構成及び効果は以下の説明から明らかになる。
【実施例１】
【００２２】
図１は、本発明が適用された画像形成システムの概略構成を示すブロック図である。
【００２３】
このシステムは、画像形成装置１０、例えば複合機に、ホストコンピュータＨＣが結合されて構成されている。簡単化のために、以下では画像形成装置１０をプリンタとして利用する場合の構成について説明する。この場合、画像形成装置１０は、ホストコンピュータＨＣから供給される画像情報と画像形成装置１０で設定される情報とに基づいて、用紙に画像を形成する。
【００２４】
画像形成装置１０では、システム制御装置１１に画像情報メモリ１２、設定情報メモリ１３、操作部１４、画像書込制御装置１５、用紙搬送制御装置１６及び後処理制御装置１７が結合されている。
【００２５】
システム制御装置１１は、ホストコンピュータＨＣから供給される画像情報を一旦、画像情報メモリ１２に格納させる。この画像情報は、アプリケーションプログラムの印刷ルーチンからプリンタドライバを介して供給されるものであり、デバイスの解像度等に依存しないＰＤＬ（ページ記述言語）で記述されている。システム制御装置１１は、ユーザが操作部１４を操作して設定した情報を、設定情報メモリ１３に格納させる。設定情報メモリ１３は、フラッシュメモリなどの再書き込み可能な不揮発性メモリである。設定情報メモリ１３は、ハードディスク等の外部記憶装置で構成してもよい。
【００２６】
システム制御装置１１は、後述のように設定情報メモリ１３の内容に基づいて必要に応じ画像情報メモリ１２の内容を書き換え、これを画像書込制御装置１５に供給する。画像書込制御装置１５は、この画像情報に基づいて、ＰＤＬ記述画像をビットマップ展開し、そのビットマップデータに基づいてレーザビームをオン・オフ制御することにより、画像書込装置１５Ｍ内の感光体ドラム上に所望の静電潜像を形成させる。画像書込装置１５Ｍはトナーを該感光体ドラム上の帯電部に付着させて該静電潜像を現像させ、そのトナー像を用紙に静電転写させた後、定着させる。
【００２７】
システム制御装置１１は用紙搬送制御装置１６を介し用紙搬送装置１６Ｍを駆動して用紙を給紙段から画像書込装置１５Ｍへ搬送させ、画像書込装置１５Ｍで画像が形成された用紙を排紙トレイ上に排紙させる。両面印刷における用紙反対面画像については、この排紙を行わせずに用紙をスイッチバックさせ、再度画像書込装置１５Ｍに供給させて用紙反対面に画像を形成させた後、排紙トレイ上に排紙させる。
【００２８】
システム制御装置１１は、後処理をすべき情報が画像情報メモリ１２の内容に含まれている場合には、画像形成後の用紙束に対し後処理制御装置１７を介してステープル装置１７ＭＳ又はパンチ装置１７ＭＰによりステープル処理又はパンチ処理を行なわせる。なお、パンチ処理については用紙毎に行ってもよい。
【００２９】
図２は、後処理設定情報説明図である。
【００３０】
図２（Ａ）において、ポートレイト画像が形成される縦方向用紙に対し、ステープル処理又はパンチ処理を行う後処理辺Ｌ０〜Ｌ３の何れか１つ（Ｌ）を指定する。
【００３１】
後処理位置については、用紙の中央Ｏから見た後処理辺Ｌ上の位置を指定する。これにより、後処理位置は特定の後処理辺に依存しない。図２（Ｂ）に示す如く、後処理辺Ｌに沿ったステープル処理位置指定は、ＳＴ０、ＳＴ１若しくはＳＴ２の何れか又はステープル処理無しとする。ステープル処理位置ＳＴ０及びＳＴ２は端部（コーナー部）斜め打ちであり、ステープル処理位置ＳＴ１は２点打ちである。パンチ処理指定は、後処理辺Ｌに沿った２穴パンチ処理又はパンチ処理無しであり、図２（Ｃ）は、後処理辺Ｌに対する２穴パンチ処理の場合を示している。
【００３２】
このように、後処理辺指定と、用紙中央Ｏから見た後処理辺に沿った後処理位置指定との組を用いることにより、後処理指定が単純化されるので、後処理ルーチンを簡単化することができる。
【００３３】
後処理がステープル２点打ち又は２穴パンチである場合には、用紙束の用紙捲り方向が決定される。しかし、ステープル１点打ち又は後処理なしの場合には、捲り方向が定まらない。そこで、後処理辺指定のみならず綴じ代位置指定もできるようにし、ユーザの意図する捲り方向を、ユーザ指定情報に基づいて後述のように一意に決定する。
【００３４】
図３は、ステープル１点打ちで互いに異なる後処理辺と綴じ代との両方が指定される場合を示す説明図である。
【００３５】
小サイズの用紙２０と大サイズの用紙３０とで捲り方向を一致させるために、用紙２０及び３０の左辺を綴じ代２１及び３１とする。従来のように綴じ代と直角な方向を給紙方向とすると、画像形成装置１０の機種又は用紙３０の長辺の長さによっては、用紙３０を横送りすることができない。また、綴じ代２１と３１の長手方向長さが不一致であるので、ステープル処理することができない。
【００３６】
一方、図３（Ｅ）に示すように綴じ代２１及び３１の一端部のみステープル３３で留める場合には、図３（Ｃ）及び（Ｄ）に示すように、綴じ代２１及び３１の隣の辺であってステープル処理位置側の辺をそれぞれ後処理辺２２及び３２とするとともに、ステープル処理位置ＳＴ２をＳＴ０（図２）と変更することにより、上記問題を解決することができる。図３（Ｅ）は、後処理辺２２と３２の等長辺を揃えてと重ね合わせた状態を示す。
【００３７】
図４は、綴じ代及び後処理辺の指定に関係した設定画面を示しており、これは図１の操作部１４に備えられたタッチパネルに表示される。
【００３８】
この画面上には、アプリケーションで設定されたサイズの用紙２０及び３０が重ねて表示される。
【００３９】
両面／片面印刷ボタン４０はソフトウェアトグルスイッチのボタンであり、これをタッチする毎に片面印刷と両面印刷とが交互に切り換えられる。
【００４０】
綴じ代ボタン４１をタッチする毎にその矩形内が白黒反転表示され、綴じ代ボタン４１がネガ画像状態のときに綴じ代位置指定可能状態となり、用紙２０又は用紙３０の辺をタッチすると、用紙２０及び３０の対応する辺が綴じ代２１及び３１として選択されるとともに両綴じ代の辺が一致するように表示され、「綴じ代」の文字とともに綴じ代の境界線が表示される。綴じ代ボタン４１上には綴じ代幅が表示され、その値はインクリメントボタン４２をタッチする毎に１ｍｍだけインクリメントされ、デクリメントボタン４３をタッチする毎に１ｍｍだけデクリメントされる。
【００４１】
綴じ代ボタン４１の場合と同様に、後処理辺ボタン４４をタッチする毎にその矩形内が白黒反転表示され、後処理辺ボタン４４がネガ画像状態のときに後処理辺選択可能状態となり、用紙２０又は用紙３０の辺をタッチすると、用紙２０及び３０の対応する辺が後処理辺２２及び３２として選択されるとともに両後処理辺が一致するように表示され、「後処理辺」の文字とともに後処理辺の境界線が表示される。後処理辺の短手方向幅は、綴じ代のそれに等しい。
【００４２】
ステープルボタン４５をタッチする毎に、選択された後処理辺について、図２（Ｂ）のステープル処理位置ＳＴ０、ＳＴ１、ＳＴ２又はステープル処理無しが順次選択され、ステープル処理無しからステープル処理位置ＳＴ０へ戻る。図４はステープル処理位置がＳＴ０である状態を示す。
【００４３】
パンチボタン４６をタッチする毎に、選択された後処理辺について、２穴パンチとパンチ処理無しが交互に選択され表示される。
【００４４】
用紙選択コンボボックス４７及び４８には、アプリケーションで選択された用紙２０及び３０のサイズ及び向きが表示されており、また、矢印をタッチすると、プルダウンリストメニューが表示されて用紙のサイズと向きを他のものに変更可能になっている。
【００４５】
ＯＫボタン４９をタッチすると、この画面で設定された値が図１の設定情報メモリ１３に格納されて確定する。
【００４６】
後処理辺及び綴じ代の指定は、１つの印刷ジョブに関し異サイズ用紙が含まれていても上記のようにして一括指定されるので、指定された後処理辺と綴じ代との一方に基づいて捲り方向を決定すれば、印刷後の用紙束について捲り方向が統一される。
【００４７】
一般に、用紙に関する設定はホストコンピュータＨＣで行うこともでき、本実施例においても同様である。すなわち、図４のような設定画面は、ホストコンピュータＨＣにインストールされているプリンタドライバを起動しても表示される。この場合、タッチパネルではなくポインティングデバイスで表示画面上をポインティングしクリック動作で設定するようにしてもよい。ホストコンピュータＨＣと画像形成装置１０の両方で設定されている場合には、原則としてホストコンピュータＨＣでの設定が優先される。例外として、画像形成装置１０の設定を優先させるように設定した場合にはそれによる。
【００４８】
図５は、システム制御装置１１による主に用紙捲り手順を示すフローチャートである。以下、括弧内は図５中のステップ識別符号である。
【００４９】
（Ｓ１）プリンタドライバＰＤの設定画面上で図４の設定等を行う。設定画面上の印刷スタートボタン（不図示）を押下すると、設定情報を含む画像情報がホストコンピュータＨＣから画像形成装置１０へ供給され、システム制御装置１１はこれを一旦、画像情報メモリ１２に格納させ、ステップＳ２へ進む。
【００５０】
以下の捲り方向決定処理は、次のような考え方に基づいている。
【００５１】
（ａ）原則として綴じ代に基づいて捲り方向を決定する（Ｓ１１）。
【００５２】
（ｂ）綴じ代位置指定が無く後処理辺のみ指定されていれば、後処理辺に基づいて捲り方向を決定する（Ｓ５）。
【００５３】
（ｃ）綴じ代と後処理辺との両方が指定されている場合において、綴じ代位置指定ミスがあると推定されるときには、後処理辺に基づいて捲り方向を決定する。
【００５４】
（Ｓ２）システム制御装置１１は、画像情報メモリ１２の内容を参照し、綴じ代の指定がなければステップＳ３へ進み、そうでなければステップＳ６へ進む。
【００５５】
（Ｓ３）システム制御装置１１は、画像情報メモリ１２の内容を参照し、後処理辺の指定が無ければステップＳ４へ進み、有れば、すなわち後処理辺のみの指定であればステップＳ５へ進む。
【００５６】
（Ｓ４）捲り方向を決定できないので、システム制御装置１１は、操作部１４に設定未完であることを表示させてステップＳ１へ戻る。この場合、画像情報が既に画像情報メモリ１２に格納されているので、ステップＳ１では画像形成装置１０の操作部１４で設定を行う。システム制御装置１１は、この設定情報を一旦設定情報メモリ１３に格納し、設定が完了するとその設定値を画像情報メモリ１２内の画像情報に付加する。
【００５７】
（Ｓ５）システム制御装置１１は、画像情報メモリ１２の内容に含まれる後処理辺情報に基づいて捲り方向を決定する。すなわち、指定された後処理辺と直角な方向を捲り方向と決定する。但し、画像情報メモリ１２の内容に、特定ページについて捲り方向を指定する情報が含まれていれば、その特定ページについては捲り方向を指定通りにする。例えば、ポートレイト画像が一括指定されているが、あるページの表の横幅が広くてランドスケープ画像にすることが指定されている場合には、このページの捲り方向を他のページの捲り方向と直角にする。この指定は、アプリケーションでユーザにより行われる。
【００５８】
図７は、１つの印刷ジョブで、等長辺を有する異サイズ用紙を用い、後処理辺と綴じ代のうち後処理辺のみ指定し、両面印刷を行い用紙束を２点ステープル留めする場合を示している。図７（Ａ）及び（Ｄ）はそれぞれ小サイズ及び大サイズの用紙の表面に形成される画像の向きを文字列で示すとともに、後処理辺が小サイズ横置用紙の上辺及び大サイズ縦置用紙の上辺であることを示している。図７（Ｂ）及び（Ｅ）はそれぞれ小サイズ及び大サイズの用紙の裏面（画像形成装置１０で表面画像書込後に裏面画像を書き込むため用紙をスイッチバックさせて反転させるのに対応して、上下逆になるように反転した表面）に形成される画像の向きを文字列で示している。図７（Ｃ）及び（Ｆ）はそれぞれ小サイズ及び大サイズの用紙上の表面画像を、点線で示す裏面画像とともに示す。図７（Ｇ）は図７（Ｃ）と（Ｆ）の後処理辺を一致させて重ね合わせ、２点ステープル留めした状態を示す。
【００５９】
次にステップＳ１２へ進む。
【００６０】
（Ｓ６）後処理辺の指定がなければ、すなわち綴じ代のみの指定であればステップＳ１１へ進み、そうでなければステップＳ７へ進む。
【００６１】
図６は、１つの印刷ジョブで同一サイズ用紙を用い、後処理辺と綴じ代のうち綴じ代のみ指定する場合を示している。この場合、ステップＳ６からステップＳ１１へ進む。
【００６２】
図１０（Ａ）は、１つの印刷ジョブで、等長辺を有しない異サイズ用紙を用い、後処理辺と綴じ代のうち綴じ代のみを指定し、後処理を指定しない場合を示している。この場合、ステップＳ６からステップＳ１１へ進み、印刷ジョブ終了後に手動で２穴パンチ処理することができる。
【００６３】
ここで、後処理が指定されていたとしても後処理可能でない場合には綴じ代指定に基づいて捲り方向を決定するのが適正と考えられる。そこで、以下のステップＳ７及びＳ８は後処理可能であるか否かを判定し、否定判定した場合にはステップＳ１１へ進む。
【００６４】
（Ｓ７）異サイズ用紙の後処理辺が互いに等しい長さであればステップＳ８へ進み、そうでなければステップＳ９へ進む。
【００６５】
（Ｓ８）異サイズ用紙の後処理辺を重ね合わせて後処理可能であればステップＳ９へ進み、そうでなければ後処理有りを無しに変更（ステープル位置指定無し又はパンチ無しに変更）してステップＳ１１へ進む。
【００６６】
図１０（Ｂ）は、１つの印刷ジョブで、等長辺を有しない異サイズ用紙を用い、後処理辺と綴じ代の両方を指定し、用紙毎に２穴パンチ処理する場合を示している。この場合、後処理辺指定はミスであって、ステップＳ８からステップＳ９、Ｓ１０、Ｓ５へと進む。
【００６７】
図１０（Ｃ）は、１つの印刷ジョブで、等長辺を有し異サイズ用紙を用い、後処理辺と綴じ代の両方を指定し、両面印刷を行い用紙束を２点ステープル留めする場合を示している。この場合、後処理指定はミスであり、ステップＳ８からステップＳ１１へ進み、印刷ジョブ終了後に手動で綴じ代２１、３１にステープル処理又は２穴パンチ処理をすることができる。
【００６８】
（Ｓ９）ステープル処理又はパンチ処理が指定されていれば、すなわちステープル装置１７ＭＳ又はパンチ装置１７ＭＰにより後処理を行う場合には、ステップＳ１０へ進み、そうでなければ、すなわち、後処理辺が指定されていてもステープル位置が指定されておらず、且つ、パンチ無しが選択されている場合には、ステップＳ１１へ進む。
【００６９】
（Ｓ１０）後処理が捲り方向を決定する場合には、すなわち、本実施例では２穴パンチ又は２点ステープルが後処理として指定されていればステップＳ５へ進み、そうでなければステップＳ１１へ進む。
【００７０】
図８は、１つの印刷ジョブで、等長辺を有する異サイズ用紙を用い、後処理辺と綴じ代の両方を指定し、両面印刷を行い用紙束をコーナ１点ステープル留めする場合を示している。この場合、ステップＳ１０からステップＳ１１へ進む。図８（Ａ）〜（Ｇ）はそれぞれ図７（Ａ）〜（Ｇ）に対応している。
【００７１】
図９は、１つの印刷ジョブで、等長辺を有する異サイズ用紙を用い、後処理辺と綴じ代の両方を指定し、両面印刷を行い用紙束を小サイズ用紙長辺２点ステープル留めする場合を示している。この場合、綴じ代位置指定はミスであり、ステップＳ１０からステップＳ５へ進む。図９（Ａ）〜（Ｇ）はそれぞれ図７（Ａ）〜（Ｇ）に対応している。
【００７２】
（Ｓ１１）システム制御装置１１は、画像情報メモリ１２の内容に含まれる綴じ代情報に基づいて捲り方向を決定する。すなわち、指定された綴じ代の長手方向と直角な方向を捲り方向と決定する。但し、ステップＳ５の場合と同様に、画像情報メモリ１２の内容に、特定ページについて捲り方向を指定する情報が含まれていれば、その特定ページについては捲り方向を指定通りにする。
【００７３】
（Ｓ１２）両面印刷の裏面であればステップＳ１３へ進み、そうでなければステップＳ１５へ進む。
【００７４】
（Ｓ１３）ステップＳ５又はＳ１１で決定された捲り方向が給紙方向と直角であればステップＳ１４へ進み、そうでなければステップＳ１５へ進む。
【００７５】
（Ｓ１４）画像が１８０°回転するように、画像情報メモリ１２内の画像情報を変更する。
【００７６】
（Ｓ１５）システム制御装置１１は、画像情報メモリ１２の内容を画像書込制御装置１５に供給し、画像書込制御装置１５はこれに応答して画像書込装置１５Ｍに対し用紙に画像を形成させる。システム制御装置１１は、画像書込制御装置１５からの要求に応答して、用紙搬送制御装置１６を介し用紙搬送装置１６Ｍに用紙を搬送させる。また、システム制御装置１１は、後処理指定情報を後処理制御装置１７に供給し、後処理可能な条件が成立した時に用紙搬送制御装置１６から供給される要求に応答して、後処理制御装置１７に後処理を実行させる。ステープル装置１７ＭＳ又はパンチ装置１７ＭＰは、この後処理指定情報に基づいて後処理を実行する。
【００７７】
以上説明したように、本実施例１によれば、後処理辺指定と綴じ代位置指定との一方に基づいて（Ｓ２、Ｓ３）、１つの画像形成ジョブに関する複数枚の用紙の捲り方向を自動決定し（Ｓ５、Ｓ１１）、用紙捲り方向が給紙方向と直角になる場合に、用紙裏面に形成される画像が１８０°回転するように画像情報を変更するので（Ｓ１２〜Ｓ１４）、後処理辺と綴じ代との組の指定の仕方に応じて、ユーザが望む捲り方向にすることが可能であるという効果を奏する。
【００７８】
また、後処理辺及び綴じ代の指定は、１つの印刷ジョブに関し異サイズ用紙が含まれていても上記例外を除き一括指定され、指定された後処理辺と綴じ代との一方に基づいて捲り方向を決定するので、印刷後の用紙束について捲り方向が統一されるという効果を奏する。
【００７９】
また、綴じ代が指定される場合であっても、後処理辺が指定され該辺に沿った後処理位置が指定されることにより用紙捲り方向が一意に定まり、後処理を実行する場合には（Ｓ９、Ｓ１０）、後処理辺指定に基づいて１つの画像形成ジョブに関する複数枚の用紙の捲り方向を決定するので（Ｓ５）、すなわち、綴じ代位置指定よりも後処理辺指定の方が適正であると考えられる場合には後処理辺指定に基づいて用紙捲り方向を自動決定するので、指定ミスがあってもユーザが望む捲り方向にすることが可能となる。
【００８０】
さらに、指定ミスがあっても適正に指定情報を選択利用して捲り方向を決定しそれに応じて画像を回転させるので、例え自動後処理が実行されなくても手動後処理により目的を達成でき、指定情報が有効利用されるという効果を奏する。
【００８１】
なお、本発明には外にも種々の変形例が含まれる。
【００８２】
例えば、図５のステップＳ４において、エラー表示せずに、このような設定不充分の場合には予め定めた捲り方向、例えば異サイズ混載であるかどうかによらず左辺を綴じ代とみなす捲り方向とし、ステップＳ１２へ進む構成であってもよい。
【００８３】
また、上記実施例では画像形成装置に自動後処理装置が付設されている場合を説明したが、本発明は、自動後処理装置を備えずに手動で後処理を行う構成であっても有効である。
【００８４】
また、小型プリンタでは表示部が比較的小さいので、本発明の設定手段はＧＵＩを備えているものに限定されず、文字又は記号を表示する手段を備えたものであってもよい。
【００８５】
また、本発明の情報処理装置は、画像処理装置とは別体のコンピュータであってもよい。
【００８６】
さらにまた、上記実施例では画像形成システムがプリンタである場合を説明したが、本発明は複写機やファクシミリにも適用可能である。
【００８７】
また、画像形成手段は、供給される用紙に画像を形成するものであればよく、レーザ静電転写方式に限定されず、インクジェット方式等であってもよいことは勿論である。
【図面の簡単な説明】
【００８８】
【図１】本発明が適用された画像形成システムの概略構成を示すブロック図である。
【図２】後処理設定情報説明図である。
【図３】ステープル１点打ちで互いに異なる後処理辺と綴じ代との両方が指定される場合を示す説明図である。
【図４】綴じ代及び後処理辺の指定に関係した設定画面を示す図である。
【図５】システム制御装置１１による主に用紙捲り方向決定手順を示すフローチャートである。
【図６】図５の処理説明図であって、１つの印刷ジョブで同一サイズ用紙を用い、後処理辺と綴じ代のうち綴じ代のみ指定する場合を示す図である。
【図７】図５の処理説明図であって、１つの印刷ジョブで、等長辺を有する異サイズ用紙を用い、後処理辺と綴じ代のうち後処理辺のみ指定し、両面印刷を行い用紙束を２点ステープル留めする場合を示す図である。
【図８】図５の処理説明図であって、１つの印刷ジョブで、等長辺を有する異サイズ用紙を用い、後処理辺と綴じ代の両方を指定し、両面印刷を行い用紙束をコーナ１点ステープル留めする場合を示す図である。
【図９】図５の処理説明図であって、１つの印刷ジョブで、等長辺を有する異サイズ用紙を用い、後処理辺と綴じ代の両方を指定し、両面印刷を行い用紙束を小サイズ用紙長辺２点ステープル留めする場合を示す図である。
【図１０】図５の処理説明図であって、１つの印刷ジョブで、等長辺を有しない異サイズ用紙を用い、後処理辺と綴じ代のうち綴じ代のみを指定し、後処理を指定しない場合を示す図である。
【図１１】従来技術の問題点説明図であって、１つの印刷ジョブでサイズの異なる用紙を用いて両面印刷を行い、用紙束を１点ステープル留めする場合を示す図である。
【符号の説明】
【００８９】
１０  画像形成装置
１１  システム制御装置
１２  画像情報メモリ
１３  設定情報メモリ
１４  操作部
１５  画像書込制御装置
１５Ｍ  画像書込装置
１６  用紙搬送制御装置
１６Ｍ  用紙搬送装置
１７  後処理制御装置
１７ＭＳ  ステープル装置
１７ＭＰ  パンチ装置
２０、３０  用紙
２１、３１  綴じ代
２２、３２  後処理辺
３３、３４  ステープル
３５  パンチ穴
４０  両面／片面印刷ボタン
４１  綴じ代ボタン
４２  インクリメントボタン
４３  デクリメントボタン
４４  後処理辺ボタン
４５  ステープルボタン
４６  パンチボタン
４７、４８  用紙選択コンボボックス
４９  ＯＫボタン
ＨＣ    ホストコンピュータ
Ｌ０〜Ｌ３、Ｌ  後処理辺
ＳＴ０〜ＳＴ２、ＳＴ  ステープル処理位置
【図１】
0004790363.tif 000002
【図２】
0004790363.tif 000003
【図３】
0004790363.tif 000004
【図４】
0004790363.tif 000005
【図５】
0004790363.tif 000006
【図６】
0004790363.tif 000007
【図７】
0004790363.tif 000008
【図８】
0004790363.tif 000009
【図９】
0004790363.tif 000010
【図１０】
0004790363.tif 000011
【図１１】
0004790363.tif 000012